(57)【要約】【課題】アイアンゴルフクラブセット中のロングアイアンの低重心化を図り、アベレージゴルファーに使い易いものとする。【解決手段】フェースライン１のトウ２側のフェース幅をトウ幅Ｔ、ヒール側をネック幅Ｎ、トップエッジ３のネック側の点Ｘとトウ側の点Ｙを結ぶ直線Ｌがトップエッジのネック側の点を通る横線Ｖとなす角をトップエッジ角度αとし、ショートアイアンからロングアイアンにかけて、トップエッジ角度が減少するようにした。【選択図】図２
2009136517.tif 000002
【特許請求の範囲】
【請求項１】
フェースラインのトウ側のフェース幅をトウ幅、ヒール側をネック幅、トップエッジのネック側の点とトウ側の点を結ぶ直線がトップエッジのネック側の点を通る横線となす角をトップエッジ角とし、
ショートアイアンからロングアイアンにかけて、トップエッジ角度が減少するようにしたことを特徴とするアイアンゴルフクラブセット。
【請求項２】
最も大きい番号のアイアンヘッドのトップエッジ角度の上限を２０度とし、最も小さい番号のアイアンヘッドのトップエッジ角度の下限を０度とする請求項１に記載のアイアンゴルフクラブセット。
【請求項３】
ロングアイアンからショートアイアンにかけて、ネック幅が一定である請求項１又は２に記載のアイアンゴルフクラブセット。
【請求項４】
ショートアイアンからロングアイアンにかけて、トップエッジ角度の減少率が減少する請求項１ないし３のいずれか１項に記載のアイアンゴルフクラブセット。
【請求項５】
ロングアイアンからショートアイアンにかけて、トップエッジ角度の増加率が増加する請求項１ないし３のいずれか１項に記載のアイアンゴルフクラブセット。
【発明の詳細な説明】
【技術分野】
【０００１】
本発明は、ロングアイアンからショートアイアンに至る各クラブ間で等間隔の飛距離差を得られるようにしたアイアンゴルフクラブセットに関する。
【背景技術】
【０００２】
アイアンゴルフクラブセットに求められる機能は、ロングアイアンからショートアイアンに至る各クラブ間で等間隔の飛距離差があることである。ロングアイアンはショートアイアンに比べて飛ぶことが要求され、ショートアイアンは飛ばないことが求められる。アイアンセット内の各クラブ間の飛びには安定した飛びの秩序が求められる。飛びは、多少打点がばらついても、打点の中心がヘッド重心近傍にあれば問題はないが、打点の中心が重心から離れていればいるほど秩序を乱し、問題となる。図３は、一般的な鍛造アイアンゴルフクラブセットのフェース上重心高さと幾何学的ボール接触点高さを検討した図である。一般に、アイアンクラブは、フェアフェイ上にあるボールを打撃することが多く、ボールとクラブフェースの接触可能な高さが制約される。幾何学的ボール接触点高さとは、水平な面上に、所定のライ角度とロフト角度でソールを設置したアイアンクラブのフェースとゴルフボールとの接触点の高さである。図３上、上方に位置しているいくつかの線で結ばれた点が、３番からＰＷのアイアンゴルフクラブセットのフェース面上重心高さである。下方に描かれた丸をつないだ線が幾何学的接触点高さであり、次式で計算している。
幾何学的接触点高さ＝（ボール半径）×（１−ｓｉｎ（ロフト角―４度）
（ロフト角―４度）の４度は、発明者が、インパクトにおける実行ロフト角を高速度カメラで捉えた実験から、インパクト時のクラブフェースの実効角度が、所謂ハンドファーストによってクラブ角度より４度程度少なくなっていることから得た事実である。同図より、一般的に、アイアンショットでは、地面上にあるボールをその重心で打撃することができないことがわかる。特に、その差は、ロングアイアンからショートアイアンにいくときほど大きく広がり、ロングアイアンよりもショートアイアンの方が問題ありといえる。ところが７番アイアンに代表されるように、実際には、初心者でもショートアイアンが問題にされることはなく、アイアンセットの問題は、ロングアイアン不要論が叫ばれたように、ロングアイアンの重心高さが問題にされてきた。事実、低重心化されたアイアンクラブやウッドタイプのユーティリティがロングアイアンの代替として重宝され、さらに一層低重心化されたロングアイアンやユーティリティが待望されている。
【０００３】
ロングアイアンに対する不満は、アベレージや非力なゴルファーに多く、プロや上級者にとってはなんら問題がないようである。それは、パワーとスイング技術の違いといわれている。しかしながら低重心化されたアイアンクラブやウッドタイプのユーティリティがロングアイアンの代替となっている事実から、セット内のロングアイアンの重心が低重心化できれば、アベレージや非力なゴルファーが使えるアイアンセットが可能になる。
【０００４】
また、従来の伝統的なアイアンセット展開の方法は、例えば、図４に示すように、５番アイアンのような基準となるクラブを設計した後、これをロングアイアンからショートアイアンへとセット展開してゆく方法が一般的で、その際、重心高さに関係するフェースの幅については、トップエッジのイメージを崩さないように、フェース面上の平面内で、トップエッジをショートアイアンに向かっては所定の間隔で拡大し、ロングアイアンに向かっては縮小する方法が一般的に行われてきた。このようなセット展開の結果が、図３に示した重心高さとなっている。
【０００５】
そこで、セット内のロングアイアンと呼ばれるアイアンゴルフクラブの低重心化を図ったものとしては、ロフト角が異なる３本以上のアイアン型のゴルフクラブをセットとしたアイアン型ゴルフクラブセットであって、各ゴルフクラブのヘッドは、フェース面を有するヘッド本体部に該ヘッド本体部よりも比重が大の錘部材が固着されてなり、かつロフト角が最小をなす最も低番手のゴルフクラブを含む低番手側のゴルフクラブは、ヘッド本体部のトウ側に錘部材が配されるとともに、ロフト角が最大をなす最も高番手のゴルフクラブを含む高番手側のゴルフクラブは、ヘッド本体部のヒール側に錘部材が配され、しかも低番手側のゴルフクラブと高番手側のゴルフクラブとの間に位置する中間番手のゴルフクラブは、トウ側とヒール側とに分けて錘部材が夫々配されたものが知られている（特許文献１参照）。
【特許文献１】特開２００３−１０２８７５号（３頁、図２）
【発明の開示】
【発明が解決しようとする課題】
【０００６】
特許文献１に開示された従来技術では、錘部材をショートアイアン、ミドルアイアン、ロングアイアンに応じて所定の個所に設けるので、コスト面で不利となっていた。また、伝統的なセット展開では、ロングアイアンで十分な低重心化を図るには限界があった。
【０００７】
そこで、本発明は、錘部材を使用せずにロングアイアンの低重心化を図ったアイアンゴルフクラブセットを提供することを目的とする。
【課題を解決するための手段】
【０００８】
上述の目的を達成するため、本発明は、フェースラインのトウ側のフェース幅をトウ幅、ヒール側をネック幅、トップエッジのネック側の点とトウ側の点を結ぶ直線がトップエッジのネック側の点を通る横線となす角をトップエッジ角度として、ショートアイアンからロングアイアンにかけて、トップエッジ角度が減少するようにしたものである。これを通常のネック幅でセット展開されたクラブヘッドフェースに適応し、ロングアイアンの重心高さの低下を図った。特に従来に比べロングアイアンのトウ側が低くなり、その重量分をトウ側のソール部に加重することで、低重心かつ、適正な重心位置（フェースのスコアーライン領域の長さの中心から、ややヒールより（フェースのスコアーライン領域の長さの４０％）の範囲内）に設定することができるものである。
【発明の効果】
【０００９】
本発明は、ショートアイアンからロングアイアンにかけて、トップエッジ角度が減少するようにしたので、通常のネック幅でセット展開したものでもロングアイアンの重心高さを低くすることができる。
【発明を実施するための最良の形態】
【００１０】
以下に、本発明の実施形態を図面を参照にして説明する。
【００１１】
図１では、フェースライン１のトウ２側のフェース幅をトウ側Ｔ、ヒール側をネック幅Ｎ、トップエッジ３のネック側の点Ｘとトウ２側の点Ｙとを結ぶ直線Ｌがトップエッジ３のネック側の点Ｘを通る横線Ｖとなす角をトップエッジ角度αとした。また、フェースライン１の設けられたフェースライン領域を符号Ｆで示した。横線Ｖはフェースライン１と平行である。
【００１２】
本発明では、ショートアイアンからロングアイアンにかけて、トップエッジ角度αが減少するようにセット展開した。一例としては、表１に示すようなセット展開とした。この場合、通常のネック幅Ｎで、ロングアイアンの重心高さの低下を図った。
【００１３】
【表１】
2009136517.tif 000003
【００１４】
表１において、ＰＷのトップエッジ角度αを２０度とすると、各番手のトップエッジ角度αは次の表２のようになる。
【００１５】
【表２】
2009136517.tif 000004
【００１６】
また、ＰＷのトップエッジ角度αを１４度とすると、各番手のトップエッジ角度αは次の表３のようになる。
【００１７】
【表３】
2009136517.tif 000005
【００１８】
表１に示すトップエッジ角度αの減少具合を具体化した各番手のアイアンヘッドは、図２のようになる。ネック幅Ｎは、ＰＷ〜＃３まで同一幅であるが、トウ幅Ｔは、ＰＷ〜＃３に至る間に除々に減少する。＃９〜＃３における黒塗り部分は、従来の伝統的なアイアンヘッドの各番手と比較したトップエッジ３の減少分を示す。したがって、この減少分（重量も減少する）は、番手が小さくなるほど増加し、重心高さを低下させることになる。
【００１９】
別の実施形態として、セット全体をより低重心化とするには、ネック幅Ｎを最も若い番手（例えば３番アイアン）のネック幅Ｎとして、３番アイアンのトップエッジ角度αを０度として、最大２０度を限度として、ＰＷまで表４のように、加速的にトップエッジ角度αを増加するセット展開もある。すなわち、ロングアイアンからショートアイアンにかけて、トップエッジ角度αの増加率を増加させたセットである。換言すると、ショートアイアンからロングアイアンにかけて、トップエッジ角度αの減少率が減少するセットでもある。
【００２０】
【表４】
2009136517.tif 000006
【００２１】
上述したいずれの実施態様も、＃３〜＃９、ＰＷのセットとして説明したが、ロフト角度が異なる３本以上のアイアンゴルフクラブをセットとしたものであれば本発明を適用することができる。ロングアイアンと呼ぶゴルフクラブは、必ずしも特定の番手をいうものではなく、セット構成中のロフト角の小さい低番手の１つ又は２以上のゴルフクラブをいうものとした。非力なアマチュアゴルファーや女性ゴルファーにとって、幾何学的接触点高さと重心高さとの差が大きく、ボールを上げにくく、番手に要求される飛距離が出にくいゴルフクラブは、５番や６番でも「ロングアイアン」相当のものと考え、これらのゴルフクラブの重心高さを低くする。なお、ネック幅Ｎは、２５〜３５ｍｍの範囲内であり、３５ｍｍを超えるとネック部が重くなり、高重心化し、２５ｍｍ未満になるとシャフトとの接着面積が減少し、強度面で不安が残る。
【図面の簡単な説明】
【００２２】
【図１】アイアンヘッドのフェース面の正面図。
【図２】実施形態の各番手のフェース面を示す図。
【図３】従来のセットの各番手の重心高さと幾何学的接触点を示すグラフ。
【図４】従来の各番手のトップエッジを示す図。
【符号の説明】
【００２３】
１    フェースライン
２    トウ
３    トップエッジ
Ｔ    トウ幅
Ｎ    ネック幅
α    トップエッジ角度
【図１】
2009136517.tif 000007
【図２】
2009136517.tif 000008
【図３】
2009136517.tif 000009
【図４】
2009136517.tif 000010